(57)【要約】【課題】  塵埃等の付着物が多いところで作業する作業用走行車の窓等の透視部を保護する。【解決手段】  透視部の一つである正面窓部５ａに、該正面窓部５ａに面ファスナー１１を介して着脱自在に取付けられる基板９と、該基板９にそれぞれ剥離可能状態で積層した複数枚のフィルム１０、１０、・・・とからなる窓保護部材８を取り付け、最も表面側のフィルム１０が汚れたら、該汚れたフィルム１０を剥がして次のフィルム１０を露出させて前方視界を確保するようにする。【選択図】        図３
2007076434.tif 000002
【特許請求の範囲】
【請求項１】
窓等の透視部を備えてなる作業用走行機体において、前記透視部外表面を保護するための表面保護部材を設けるにあたり、該表面保護部材を、透視部外表面を覆うようにして着脱自在に取付けられる透明基板と、該透明基板の外表面に取り付けられ、複数枚の透明フィルムが外表面側から順次剥離可能に積層されたフィルム層とを備えて構成されていることを特徴とする作業用走行機体における透視部表面保護装置。
【請求項２】
請求項１において、透視部は、キャブに設けられる窓ガラスであることを特徴とする作業用走行機体における透視部表面保護装置。
【請求項３】
請求項１において、透視部は、モニターカメラの表面レンズであることを特徴とする作業用走行機体における透視部表面保護装置。
【請求項４】
請求項１乃至３の何れか一つにおいて、フィルム層の透明フィルムのうちの最も内側の透明フィルムは、透明基板外表面に対して剥離可能に取付けられていることを特徴とする作業用走行機体における透視部表面保護装置。
【請求項５】
請求項１乃至４の何れか一つにおいて、透明フィルムは、左右両端部から剥離されるものであることを特徴とする作業用走行機体における透視部表面保護装置。
【請求項６】
請求項１乃至５の何れか一つにおいて、透明基板の透視部外表面を覆うための着脱は面ファスナーであることを特徴とする作業用走行機体における透視部表面保護装置。
【請求項７】
請求項６において、面ファスナーの一方は、透視部外表面の周縁に貼着されることを特徴とする作業用走行機体における透視部表面保護装置。
【請求項８】
請求項７において、面ファスナーは一部の周縁に貼着され、残りの周縁には透明基板と透視部外表面との隙間を塞ぐための塞ぎ体が貼着されていることを特徴とする作業用走行機体における透視部表面保護装置。
【請求項９】
請求項５において、透明フィルムの左右両端部には、剥離用操作具を係止可能な係止体が設けられていることを特徴とする作業用走行機体における透視部表面保護装置。
【請求項１０】
請求項９において、係止体は、透明フィルム毎に異なる視認ができるようになっていることを特徴とする作業用走行機体における透視部表面保護装置。
【請求項１１】
請求項１０において、異なる視認は、着色を異ならしめるものであることを特徴とする作業用走行機体における透視部表面保護装置。
【請求項１２】
請求項１０において、異なる視認は、形状を異ならしめるものであることを特徴とする作業用走行機体における透視部表面保護装置。
【請求項１３】
請求項９において、剥離用操作具は、作業者が把持するための操作部と、該操作部の先端に設けられ、左右の係止体に係止可能な係止部とにより略Ｔ字形に形成されていることを特徴とする作業用走行機体における透視部表面保護装置。
【発明の詳細な説明】
【技術分野】
【０００１】
本発明は、窓等の透視部が設けられる油圧ショベル、ホイールローダ、ダンプトラック等の作業用走行機体の透視部保護装置の技術分野に属するものである。
【背景技術】
【０００２】
一般に、油圧ショベルやホイールローダ等の作業用走行機体のなかには、キャブ付きのものがあり、このようなキャブには、オペレータの視界を確保するため透視部としての窓が備えられている。ところでこのような作業機械を用いての作業のなかには、粉塵や塵埃等が激しく舞い上がるようなところがあり、このような作業環境で作業を行うと、これら塵埃等が窓ガラスに付着しオペレータの視界を妨げることになる。そこでこれら付着した塵埃等の付着物を、ワイパ装置で除去することが試みられるが、これらワイパ装置は、一般には前面窓、場合によって後面窓も含めた一部の窓にしか設けられておらず、左右両側等の残りの窓にはワイパ装置が取付けられておらず、これら残りの窓ではワイパ装置による付着物の除去ができないためこれらワイパ装置がない窓において視界不良をきたすだけでなく、ワイパ装置自体の払拭範囲も限られたものがあって窓全体を払拭するものではないため、ワイパ装置が設けられている窓においても視界不良をきたすという問題がある。
さらにワイパ装置を用いて付着物を除去しようとする場合、ウオッシャ液を噴射しての払拭となるが、付着物が強固に窓ガラスに付着しているときには、ウオッシャ液を噴出しての払拭作動だけでは除去しきれない場合があるだけでなく、ブレードによる擦過で窓ガラス自体に傷を付けてしまうことがあり、特にウオッシャ液がなくなった状態で払拭作動すると窓ガラスが激しく傷ついてしまうという問題がある。
そこで窓ガラスの表面に透明のフィルムを貼着して窓ガラスを保護することが提唱される（例えば特許文献１）。
【特許文献１】特開２０００−９６００９号公報
【発明の開示】
【発明が解決しようとする課題】
【０００３】
ところが、前記窓ガラスにフィルムを貼着するものにおいては、フィルムに付着物が付着した場合、該フィルムを窓ガラスから剥離させればよいものの、次に作業する際には、作業現場において新たにフィルムを貼着する必要があって面倒かつ煩雑であるだけでなく、フィルムの貼着時に窓ガラスに汚れがあったりすると、汚れをそのまま取り込んだ状態でフィルムを貼着してしまう場合があるだけでなく、気泡を取り込まないようにしてフィルムを貼着する作業には熟練を要し、簡単にはできないという問題があり、これらに本発明の解決すべき課題がある。
【課題を解決するための手段】
【０００４】
本発明は、上記の如き実情に鑑みこれらの課題を解決することを目的として創作されたものであって、請求項１の発明は、窓等の透視部を備えてなる作業用走行機体において、前記透視部外表面を保護するための表面保護部材を設けるにあたり、該表面保護部材を、透視部外表面を覆うようにして着脱自在に取付けられる透明基板と、該透明基板の外表面に取り付けられ、複数枚の透明フィルムが外表面側から順次剥離可能に積層されたフィルム層とを備えて構成されていることを特徴とする作業用走行機体における透視部表面保護装置である。
請求項２の発明は、請求項１において、透視部は、キャブに設けられる窓ガラスであることを特徴とする作業用走行機体における透視部表面保護装置である。
請求項３の発明は、請求項１において、透視部は、モニターカメラの表面レンズであることを特徴とする作業用走行機体における透視部表面保護装置である。
請求項４の発明は、請求項１乃至３の何れか一つにおいて、フィルム層の透明フィルムのうちの最も内側の透明フィルムは、透明基板外表面に対して剥離可能に取付けられていることを特徴とする作業用走行機体における透視部表面保護装置である。
請求項５の発明は、請求項１乃至４の何れか一つにおいて、透明フィルムは、左右両端部から剥離されるものであることを特徴とする作業用走行機体における透視部表面保護装置である。
請求項６の発明は、請求項１乃至５の何れか一つにおいて、透明基板の透視部外表面を覆うための着脱は面ファスナーであることを特徴とする作業用走行機体における透視部表面保護装置である。
請求項７の発明は、請求項６において、面ファスナーの一方は、透視部外表面の周縁に貼着されることを特徴とする作業用走行機体における透視部表面保護装置である。
請求項８の発明は、請求項７において、面ファスナーは一部の周縁に貼着され、残りの周縁には透明基板と透視部外表面との隙間を塞ぐための塞ぎ体が貼着されていることを特徴とする作業用走行機体における透視部表面保護装置である。
請求項９の発明は、請求項５において、透明フィルムの左右両端部には、剥離用操作具を係止可能な係止体が設けられていることを特徴とする作業用走行機体における透視部表面保護装置である。
請求項１０の発明は、請求項９において、係止体は、透明フィルム毎に異なる視認ができるようになっていることを特徴とする作業用走行機体における透視部表面保護装置である。
請求項１１の発明は、請求項１０において、異なる視認は、着色を異ならしめるものであることを特徴とする作業用走行機体における透視部表面保護装置である。
請求項１２の発明は、請求項１０において、異なる視認は、形状を異ならしめるものであることを特徴とする作業用走行機体における透視部表面保護装置である。
請求項１３の発明は、請求項９において、剥離用操作具は、作業者が把持するための操作部と、該操作部の先端に設けられ、左右の係止体に係止可能な係止部とにより略Ｔ字形に形成されていることを特徴とする作業用走行機体における透視部表面保護装置である。
【発明の効果】
【０００５】
請求項１の発明とすることにより、透明フィルムを用いて透視部の保護を計るものでありながら、該透明フィルムは、複数枚が剥離可能な状態で積層されたフィルム層を構成し、このフィルム層が透明基板を介して透視部を覆う状態で取付けられるため、透明フィルムに付着物が付着して視界不良状態になった場合、最も外側の透明フィルムから順次剥離していくことで、積層枚数分の透明フィルムの更新が簡単にできることになって作業性に優れ、しかも剥離する透明フィルムがなくなった場合には透明基板を透視部側から取外して新しい透視部表面保護装置を取付けるだけでよく、現場で保護フィルムを透視部に貼着するような手間が要らないことになって、長期に亘って透視性の保護が図れることになる。
請求項２の発明とすることにより、キャブに設けられる窓ガラスの透視性の保護が簡単に図れることになる。
請求項３の発明とすることにより、モニターカメラのレンズの透視性の保護が簡単に図れることになる。
請求項４の発明とすることにより、透明基板から最後の透明フィルムを剥離すると、該透明基板自体が透視部表面の保護をし、透明基板の視界が損なわれた段階まで透視部保護状態で使用することができ、保護寿命の長いものになる。
請求項５の発明とすることにより、透明フィルムは、左右両側からの剥離がなされることになって破れづらいものとなり、剥離作業が容易となる。
請求項６の発明とすることにより、透明基板の透視部外表面側への着脱自在な取り付けが面ファスナーによって簡単にできることになる。
請求項７の発明とすることにより、透明基板を取付けるための面ファスナーが視界の妨げになることを低減できることになる。
請求項８の発明とすることにより、透明基板は、周縁一部にあるため着脱がよ容易であり、しかも面ファスナーがない周縁部分は塞ぎ体によって塞がれるため塵埃等の侵入を回避し、透視部の保護が図れることになる。
請求項９の発明をすることにより、透明フィルムの左右両端部からの剥離が簡単にできることになる。
請求項１０の発明とすることにより、誤って異なる透明ファスナーの係止体の係止をして剥離するという誤った剥離の防止ができることになる。
請求項１１または１２の発明とすることにより、誤った剥離の防止が簡単にできることになる。
請求項１３の発明とすることにより、係止体が高所にあっても、剥離用操作具を用いての簡単な剥離ができることになる。
【発明を実施するための最良の形態】
【０００６】
次ぎに、本発明の実施の形態について、図面に基づいて説明する。図中、１はホイールローダの走行機体であって、該走行機体１は、バケット２を備えた前部走行体３と、キャブ（キャビン）４ａを備えた後部走行体４とが図示しない縦軸を介して左右方向折曲自在に連結されて構成されている。そして前記キャブ４には前後および左右に窓５、６、７が形成されるが、該本実施の形態では前部窓５に本発明を実施した例について説明するが、後部窓６、左右窓７等、キャブ４に設けられた各種窓についても同様に実施できることはいうまでもない。
【０００７】
前記前部窓５は、逆台形状をした正面窓部５ａと、三角形状をし、前記正面窓部５ａに対して後側ほど左右外方に位置するよう傾斜する左右の傾斜窓部５ｂとによって形成されている。
【０００８】
８は正面窓部５ａの外表面を保護をするための窓保護部材（本発明の「表面保護部材」に相当する）であって、該窓保護部材８は、透明素材（透視できるものであれば着色されていても差し支えない）から形成される基板（本発明の「透明基板」に相当し、例えばガラス板やアクリル板であって、形状維持のため硬質であることが好ましいが、形状維持ができるものであれば、半硬質、軟質であっても勿論用いることができる。）９と、透明素材（透視できるものであれば着色されていても差し支えない）からなり、前記基板９の表面に順次剥離可能な状態で積層した複数枚のフィルム（本発明の「透明フィルム」に相当し、例えば塩化ビニリデンフィルム等の樹脂フィルムであって、後述するように剥離する際に破れづらい強度があり、かつ積層は、剥離可能な接着剤（または粘着剤）を用いて実行される。）１０、１０、・・・（本発明の「フィルム層」に相当する）とから構成されている。そして該窓保護部材８は正面窓部５ａを保護するため該正面窓部５ａと略同一形状をしており、前記基板９の裏面（正面窓部５ａに対向する側の面）の上下両縁部には面ファスナー１１の一方が両面粘着テープによって着脱自在に貼着されている。
【０００９】
さらに本実施の形態では、前記積層したフィルム１０、１０、・・・を表面側から順番に剥離しやすいよう次のような配慮がなされている。つまり基板９の左右両上端部には、上方に延長した基板延長部９ａが形成され、各フィルム１０には、該基板延長部９ａに対応するフィルム延長部１０ａ、１０ａ、・・・がそれぞれ積層状に延出形成されているが、該フィルム延長部１０ａ、１０ａ、・・・は、上側に積層されるものほど基板延長部９ａの先端側（上端側）に至るように順次長くなるように構成され、しかもフィルム延長部１０ａ、１０ａ、・・・の各先端には筒体１２がそれぞれ止着されているが、該各筒体１２は、前記フィルム延長部１０ａ、１０ａ、・・・の長さが順次異なることによって並列状になって基板延長部９ａに対向している。これらの筒体１２は、全て同一色でも良いが、本実施の形態では同一のフィルム（シート）１０、１０・・・のものは同一色となる状態で色が異なったものに設定されていて視認により区別ができるようになっている。尚、フィルム延長部１０ａ、１０ａ、・・・は接着されておらず、筒体１２は基板延長部９ａに剥離可能な状態で接着されている。因みに、フィルム１０上端縁からフィルム延長部１０ａに続く縁部（コーナー部）は円弧状になっていて剥離する際に該部位から破れてしまうことを防止する配慮がなされている。
【００１０】
そしてこのように構成された正面用の窓保護部材８は、正面窓部５ａの上下良縁部に両面テープを介して貼着した他方の面ファスナー１１ａに着脱自在に止着することで該正面窓部５ａに取り付けられるようになっている。
また本実施の形態では、基板９周縁のうちの面ファスナー１１がない裏面部には、止着状態の面ファスナー１１、１１ａの厚さ相当分か、僅かに厚く設定される厚さの遮蔽材（例えばゴム材や軟質ポリウレタンフォーム）１３が止着され、窓保護部材８を前記正面窓部５ａに取付けた場合に、基板９の裏面周縁が止着状態の面ファスナー１１、１１ａの厚さ分だけ開口することになる隙間を閉鎖して塵埃等が基板９と窓正面部５ａとのあいだに侵入して窓正面部５ａを汚すことを防止する設定になっている。
【００１１】
１４は前記フィルム１０を剥離するための剥離具であって、該剥離具１４は操作部１４ａと、該操作部１４ａの先端に中央部が固定された係止部１４ｂとによって略Ｔ字形に形成されている。しかも係止部１４ｂは、左右の長さが前記左右の筒体１２に対応する長さとなっており、その左右の端部１４ｃは、左右筒体１２の孔に遊嵌する太さに設定されている。そして表面のフィルム１０が汚れたことにより該フィルム１０を剥離したい場合、操作部１４ａを把持して左右何れか一方の端部１４ｃを該一方側にある最も上側の筒体１２に遊嵌した後、他方の端部１４ｃを、行って来い方式で該他方側の最も上側の筒体１２に遊嵌することで、左右両側の端部１４ｃを筒体１２に遊嵌し、この遊嵌状態で操作部１４ａを正面窓部５から離間する方向に操作することで、表面のフィルム１０が剥離することになって次のフィルム１０が露出するようになっている。
【００１２】
叙述の如く構成された本発明の実施の形態において、基板９に複数枚のフィルム１０が順次剥離可能に積層されることで形成された前記窓保護部材８を面ファスナー１１、１１ａを介して正面窓部５ａに着脱自在に止着し、この保護状態で作業をすると、最も外表面のフィルム１０に塵埃等の付着物が付着し、次第に視界が損なわれることになる。このように視界が損なわれてきたら、最上端の筒体１２に剥離具１４の係止部１４ｂを差し込んで操作部１４ａを前側に引き降ろす状態の操作をすると、筒体１２が基板延長部９ａから剥離し、これに引っ張られるようにして最外表面側のフィルム１０が剥離し、次のフィルム１０が最外表面のフィルムとなって表れ、視界も良好になる。このように、最外表面のフィルム１０が汚れて視界不良になったら、該汚れた最外表面のフィルム１０を順次剥離していけばよく、これによって正面窓部５ａの保護が計れる。そして最後のフィルム１０が汚れて視界不良になったら、該フィルム１０を剥離すると共に、基板９を正面窓部５ａから取外して新しい窓保護部材８を取り付けれるようにすれば、基板９自体は汚れていないのでその表面にフィルム層を設けることで再利用することができ、また基板９だけになった状態で作業すれば、該基板９までが窓保護部材としての機能を発揮することになる。
【００１３】
このように本発明が実施されたものにあっては、正面窓部５ａの保護が計れるものであるが、汚れたフィルム１０の除去が剥離具１４を用いて簡単にでき、特に本実施の形態では左右の筒体１２を剥離具１４に係止した状態で該剥離具１４を引き下げるだけでよいことになって作業性が容易であると共に、筒体１２が高所にあっても簡単にできることになる。しかもフィルム１０は、左右両端側からの剥離がなされるため途中で破れてしまうことの防止がなされる。しかも筒体１２は、同じフィルムに設けられるもの同志が同じ色で、他のフィルムごとに着色が異なっているため筒体１２の相違を目視によって確認でき、間違って他のフィルムの筒体間に剥離具１４を係止して剥離してしまうことを防止できる。尚、このような視認による確認としては、着色を異ならしめるだけでなく、例えば図５に示す第二の実施の形態のように形状を異ならしめても実施することができる。つまりこのものは、筒体に換えて板状（シート状）の係止部（係止タグ）１５とし、この係止部１５の先端部１５ａを折曲せしめて係止しやすくすると共に、該係止部１５ａの形状を円、四角、三角等、形状を異ならしめることで視認によって識別できるようにすることができる。また、剥離開始部は、上側からに限定されず、下側、左右何れか一方側等、必要において適宜位置から剥離できるように設定することができる。
【００１４】
尚、本発明は前記実施の形態に限定されないものであることは明らかであって、保護される透視部としては、窓面だけでなく、例えば後方等の座席に座するオペレータが目視できない、あるいは目視しづらい部位を映し出すため設けられるモニタカメラの表面レンズ、あるいは該モニタカメラを収納する収納容器に設けられ、表面レンズに対向する透視面に実施することができる。
【００１５】
さらにまた、本発明を実施するにあたり、透視部表面保護装置の材質を耐熱性に優れたものを採用した場合には製鉄所等の高温雰囲気下での使用ができる。また前記実施の形態では、基板の窓表面への取付けを面ファスナーで行ったが、これに限定されず、例えば窓面側にボルトを突設し、該ボルトにナットを用いて着脱自在に螺着するようにしてもよい。
【図面の簡単な説明】
【００１６】
【図１】ホイールローダの斜視図である。
【図２】正面窓部に窓保護部材を取付ける状態を示す側面図である。
【図３】（Ａ）は窓保護部材の正面図、（Ｂ）は窓保護部材の要部拡大断面図である。
【図４】フィルムを剥離している状態を示す作用説明図である。
【図５】第二の実施の形態の窓保護部材であって（Ａ）は要部拡大断面側面図、（Ｂ）は要部拡大平面図である。
【符号の説明】
【００１７】
５    前部窓
５ａ  正面窓部
８    窓保護部材
９    基板
１０    フィルム
１１    面ファスナー
１２    筒体
１３    遮蔽材
１４    剥離具
【図１】
2007076434.tif 000003
【図２】
2007076434.tif 000004
【図３】
2007076434.tif 000005
【図４】
2007076434.tif 000006
【図５】
2007076434.tif 000007